(57)【要約】      （修正有）【課題】橋梁・高架橋等の縦断方向に敷設した重要通信ケーブルや電力ケーブルを大型地震による断線事故から守る。【解決手段】橋梁・高架橋の橋床相互間及びこれらとアバットとの継ぎ目にケーブル用Ｖ字溝型耐震ボックスを設置して、大型地震により橋梁・高架橋床版の支承が破壊されてもケーブル用Ｖ字溝型耐震ボックスの特徴であるＶ字溝部分によりケーブルを押し上げることでケーブルに極端なストレスを与えず、障害および切断の被害を免れる。【選択図】図１
0003112611.tif 000002
【実用新案登録請求の範囲】
【請求項１】
橋梁・高架橋等の縦断方向に敷設する重要通信ケーブルを大型地震の際に橋梁・高架橋床版の支承が破壊されてもボックスの特徴であるＶ字溝部分でケーブルを押し上げ、ケーブルの障害および切断を免れるケーブル用Ｖ字溝型耐震ボックス。
【考案の詳細な説明】
【技術分野】
【０００１】本考案は橋梁・高架橋等の縦断方向に敷設する重要通信ケーブルの大型地震による断線事故から守るため、橋梁・高架橋の橋床相互間及びこれらとアバットとの継ぎ目に設置するＶ字溝型の耐震ボックスである。
【背景技術】
【０００２】橋梁・高架橋等の橋床相互及び土工部に設置するアバットとの継ぎ目には、構造物の温度伸縮や地震対策として伸縮継手やハンドホールを設置してケーブル保護管のフレキシブル化により構造物の縦方向の挙動には対処できるように対策されてきたが、これらの従来工法では橋床を支える支承が破損に至るような大地震ではケーブルは切断されている。
【考案の開示時】
【考案が解決しょうとする課題】
【０００３】橋梁・高架橋等の縦断方向に敷設した重要通信ケーブルや電力ケーブルを大型地震による断線事故から守るためには、ケーブルに許容張力以上の張力や許容曲半径以上の極端な曲げによるストレスを与えないようにケーブルに相当の余長を持たせ、地震時においてこの余長を吸収して水平方向の大幅なゆれに対してもケーブルを保護する工法が必要である。
【課題を解決するための手段】
【０００４】橋梁・高架橋の橋床相互間及びこれらとアバットとの継ぎ目にＶ字溝型の耐震ボックスを設置して、地震により橋梁・高架橋床版の支承が破壊されてもボックスの特徴であるＶ字溝部分でケーブルを押し上げることで障害および切断を免れるケーブル用Ｖ字溝型耐震ボックス。
【考案の効果】
【０００５】大型地震に対して道路が破壊されても橋梁等にケーブル用Ｖ字溝型耐震ボックスを設置することで、そこに敷設された重要通信ケーブルや電力ケーブルが従来の工法では不可能であった障害および切断の被害を免れ、その機能を少しでも維持することができれば社会的価値は大きい。
【実施例】
【０００６】図１（Ａ）および（Ｂ）は、本考案に係るケーブル用Ｖ字溝型耐震ボックスを橋梁とアバットとの継ぎ目に設置した一実施例を示したものである。
【産業上の利用可能性】
【０００７】Ｖ字溝型耐震ボックスは、例えばＶ字溝の斜面を平滑にするため、ポリエチレンや塩化ビニル等で製作し、ケーブル保護のための被せた波型ポリエチレン保護管との滑りを良くすることが重要である。
【図面の簡単な説明】
【０００８】
【図１】「ケーブル用Ｖ字溝型の耐震ボックスとこれに収容したケーブルの通常の状態を示した平面図および（アーア）断面図である。」
【図２】「地震により橋台に対して橋床が水平方向に移動し、ケーブル用Ｖ字溝型の耐震ボックスに収容したケーブルが斜め上にスライドした状態を示した平面図および（アーア）断面図である。」
【符号の説明】
【０００９】▲１▼  ンクリート内埋込管路内ケーブル
▲２▼  Ｖ字溝型ボックス内ケーブル（波型プラスチック割管保護）
▲３▼  Ｖ字溝型ボックス
▲４▼  橋梁上部工
▲５▼  アバット部
▲６▼  地覆部
▲７▼  車道面
▲８▼  床板
【図１】
0003112611.tif 000003
【図２】
0003112611.tif 000004
【手続補正書】
【提出日】平成17年4月22日(2005.4.22)
【手続補正１】
【補正対象書類名】実用新案登録請求の範囲
【補正対象項目名】全文
【補正方法】変更
【補正の内容】
【実用新案登録請求の範囲】
【請求項１】
所定の間隔をおいて相対して概ね水平に配置され、ケーブルをその長軸方向に沿って移動可能に収納するＶ字溝部分を少なくとも相対する部分に備えた、ケーブル用の１対の耐震ボックスであって、
前記耐震ボックスの長軸方向に直交する方向に振動が加わって、１対の耐震ボックス間に横ずれが生じる際に、前記Ｖ字溝を形成する傾斜部分によって、前記ケーブルを前記Ｖ字溝の底部から上方および水平方向に移動させて、ケーブルの損傷および切断を免れる、ケーブル用の１対の耐震ボックス。
【手続補正２】
【補正対象書類名】明細書
【補正対象項目名】０００４
【補正方法】変更
【補正の内容】
【０００４】この考案は、所定の間隔をおいて相対して概ね水平に配置され、ケーブルをその長軸方向に沿って移動可能に収納するＶ字溝部分を少なくとも相対する部分に備えた、ケーブル用の１対の耐震ボックスであって、
前記耐震ボックスの長軸方向に直交する方向に振動が加わって、１対の耐震ボックス間に横ずれが生じる際に、前記Ｖ字溝を形成する傾斜部分によって、前記ケーブルを前記Ｖ字溝の底部から上方および水平方向に移動させて、ケーブルの損傷および切断を免れる、ケーブル用の１対の耐震ボックスである。
Ｖ字溝は、耐震ボックスの相対する部分のみに設けてもよく、また、耐震ボックスの全体にわたって設けてもよい。耐震ボックスに蓋を備えてもよい。
【手続補正３】
【補正対象書類名】明細書
【補正対象項目名】０００６
【補正方法】変更
【補正の内容】
【０００６】    図１（Ａ）および（Ｂ）は、本考案に係るケーブル用Ｖ字溝型耐震ボックスを橋梁とアバットとの継ぎ目に設置した一実施例を示したものである。図１（Ａ）は、正常の場合の平面図である。図１（Ａ）に示すように、１対の耐震ボックス３が所定の間隔をおいて相対して水平に配置され、ケーブル２が耐震ボックス３の長軸方向に沿って敷設されている。１対の耐震ボックス３のそれぞれには、全体にわたってＶ字溝が設けられている。図１（Ｂ）は、図１（Ａ）のア−ア断面図である。図１（Ｂ）に示すように、耐震ボックスは、Ｖ字溝を備えており、ケーブル２がＶ字溝の概ね底部に敷設されている。図中、１は、コンクリート内埋込管路内ケーブルであり、４は橋梁上部工であり、５はアバット部であり、６は地覆部であり、７は車道面であり、そして、８は床板である。
図２（Ａ）および（Ｂ）は、地震により橋台に対して橋床が水平方向に移動し、ケーブル用Ｖ字溝型耐震ボックスに収容したケーブルが斜め上にスライドした状態を示した図である。図２（Ａ）は、平面図である。図２（Ａ）に示すように、１対の耐震ボックス３が横方向に大きく水平移動している。図中、左側に位置する耐震ボックス３においては、ケーブルが一方の端部（図中上方）まで大きく移動し、右側に位置する耐震ボックス３においては、ケーブルが一方の端部（図中下方）まで大きく移動している。即ち、耐震ボックスの相対する端部においては、それぞれ一方の側端部までケーブルが移動している。このように、耐震ボックスの長軸方向に直交する方向に振動が加わって、１対の耐震ボックス間に横ずれが生じる際に、Ｖ字溝を形成する傾斜部分によって、ケーブルをＶ字溝の底部から上方および水平方向に移動させて、ケーブルの損傷および切断を免れている。図２（Ｂ）は、図２（Ａ）のア−ア断面図である。図２にＶ字溝を形成する傾斜部分によってＶ字溝の底部から上方および水平方向に移動したケーブルの位置をあわせて示している。耐震ボックスの相対する端部付近以外では、ケーブルは概ね正常な状態と同じ位置にある。
上述したように、大型地震に対して道路が破壊されても橋梁等に、この考案のケーブル用Ｖ字溝型耐震ボックスを設置することによって、そこに敷設された重要通信ケーブルや電力ケーブルが、従来の工法では不可能であった障害および切断の被害を免れ、その機能を維持することができる。